(57)【要約】      （修正有）【課題】プレーヤが、その立ち位置からピンまでの距離を、プレーヤが着用しているゴルフグローブを利用して、周囲の景観やゴルフコースの起伏などに影響されずに、ある程度正確に知ることができるようにする。【解決手段】グローブ本体に、プレーヤが、その立ち位置において、目の位置から一定距離だけ離れた位置でのピン１００の根元１１０を見るときの根元視線Ｅ１とピン１００の頂部１２０を見るときの頂部視線Ｅ２との上下方向での相互間隔寸法Ｈ１を計るための目盛り２が表示されている。目盛り２をグローブ本体の人指し指に直接に印刷しておくことが望ましい。目盛り２は、基準線と複数の実測線とを有し、実測線に基準線からの隔たり数値を付設する。【選択図】図１
0003143811.tif 000002
【実用新案登録請求の範囲】
【請求項１】
プレーヤが手に着用するグローブ本体に、プレーヤが、その立ち位置において、目の位置から一定距離だけ離れた位置でのピンの根元を見るときの根元視線と上記ピンの頂部を見るときの頂部視線との上下方向での相互間隔寸法を計るための目盛りが表示されていることを特徴とするゴルフグローブ。
【請求項２】
上記目盛りが上記グローブ本体の人指し指の腹部、背部又は脇部のいずれかに直接に印刷されている請求項１に記載したゴルフグローブ。
【請求項３】
上記目盛りは、上記根元視線に合わされる基準線と、上記人差し指を立てたときに上記基準線よりも上位で互いに間隔を隔てている複数の実測線とでなり、実測線に基準線からの隔たり数値が付設されている請求項２に記載したゴルフグローブ。
【考案の詳細な説明】
【技術分野】
【０００１】
本考案は、ゴルフグローブ、特に、ゴルフコースでプレーヤがグリーンのホールに立っているピンの根元までの概略距離を簡易に測定することのできる機能が付与されているゴルフグローブに関する。
【背景技術】
【０００２】
ゴルフのプレーヤは、手でつかんだクラブを振って打球を行うときに、その片手又は両手に手袋を嵌めていることが多い。この種のゴルフグローブについては、従来、クラブのグリップに対する摩擦力を高める対策を講じたものなどが知られていた（たとえば、特許文献１参照）。
【特許文献１】実開昭６１−１１８３７１号公報
【０００３】
一方、ゴルフコースでは、プレーヤが次打球の落下地点としてグリーン上を狙うような状況下にある場合、プレーヤにとっては、その立ち位置からホールに立っている旗竿としてのピンまでの距離を知り、その距離を判断材料としてクラブを振り下ろす速さや力を加減することをできることが望ましいということが云える。そして、プレーヤの立ち位置からピンまでの距離を知るための手段としては、プレーヤ自身が目測するという方法、上記距離をある程度正確に教えることのできるキャディを伴っているプレーヤにとってはそのキャディから距離を教えてもらうという方法、コース脇に立っている杭の表示を目安にして判断するという方法、などがある。
【考案の開示】
【考案が解決しようとする課題】
【０００４】
しかしながら、グリーンのホール位置はグリーン中央であることは少なく、プレーヤの立ち位置から見てグリーンの手前にホールが作られている場合やグリーンの奥にホールが作られている場合など、変化に富んでいることに加えて、グリーンの広さも様々である。その上、周囲の景観やゴルフコースの起伏などの諸条件によってプレーヤの立ち位置からピンを見たときの遠近感も変化することが多い。そのため、プレーヤ自身が距離を目測する方法や杭の表示を目安にして判断する方法は正確性に欠けることが多々ある。また、キャディを伴っていない一般的なプレーヤは、キャディに正確な距離を教えてもらうことができない。
【０００５】
そこで、本願考案者は、プレーヤが常用するゴルフグローブに着目し、そのゴルフグローブを利用して立ち位置からピンまでの距離を、簡易に、しかも、ある程度正確に測定することができるならば、周囲の景観やゴルフコースの起伏などに影響されずに、また、キャディに頼らずに、プレーヤが立ち位置からピンまでの距離を知ることができて便利であると考えた。
【０００６】
本考案は以上の状況の下でなされたものであり、プレーヤの立ち位置からピンまでの距離を、プレーヤ自身が容易に知ることのできる機能を備えたゴルフグローブを提供することを目的とする。
【課題を解決するための手段】
【０００７】
本考案に係るゴルフグローブでは、プレーヤが手に着用するグローブ本体に、プレーヤが、その立ち位置において、目の位置から一定距離だけ離れた位置でのピンの根元を見るときの根元視線と上記ピンの頂部を見るときの頂部視線との上下方向での相互間隔寸法を計るための目盛りが表示されている。
【０００８】
この構成を備えたゴルフグローブによると、プレーヤが手に嵌めたゴルフグローブを目の前に一定距離（たとえば肘を略直角にＬ形に曲げることによって得られる距離）だけ離してかざした状態で、そのグローブ本体に表示されている目盛りの傍を通過する視線でピンの根元や頂部を見るということを行うと、プレーヤがピンの根元を見たときの根元視線とピンの頂部を見たときの頂部視線との上下方向での相互間隔寸法をグローブ本体に表示されている目盛りから読み出すことができる。そして、ピンの高さがゴルフルールなどによって一定に規定されていることから、立ち位置からピンまでの距離、すなわち立ち位置からホールまでの距離を、周囲の景観やゴルフコースの起伏などに影響されずに、また、キャディに頼らずに、ある程度正確に知ることができるようになる。
【０００９】
本考案では、上記目盛りが上記グローブ本体の人指し指の腹部、背部又は脇部のいずれかに直接に印刷されていることが望ましい。この構成を採用すると、プレーヤが人差し指を目の前で楽な状態で自然に立てることによって、人差し指に表示されている目盛りを参酌して上記した根元視線と頂部視線との上下方向での相互間隔寸法を楽に知ることができる。また、目盛りが人差し指に直接に印刷されていることにより、プレーヤがプレー中に人差し指を繰り返し屈伸させたとしても、人差し指を立てたときには目盛り間隔が正確に表示されるようになるという利点もある。
【００１０】
本考案において、上記目盛りは、上記根元視線に合わされる基準線と、上記人差し指を立てたときに上記基準線よりも上位で互いに間隔を隔てている複数の実測線とでなり、実測線に基準線からの隔たり数値が付設されていることが望ましい。この構成であると、根元視線に基準線を合わせておくだけで、頂部視線に合った実測線に付設されている数値を参照してピンまでの距離を知ることが可能になる。
【考案の効果】
【００１１】
以上のように、本考案によれば、プレーヤが、その立ち位置からピンまでの距離を、プレーヤが着用しているゴルフグローブを利用して、周囲の景観やゴルフコースの起伏などに影響されずに、また、キャディに頼らずに、ある程度正確に知ることができる。そのため、プレーヤにとっては、距離測定機器などを余分に持ち歩くことなく、また、キャディを伴うことなく、ピンまでの距離を知ってスコアを高めることが可能になるという有益な効果が得られる。また、目盛りを印刷によって直接に人差し指に表示しておくと、プレー中に屈伸が繰り返されても、人差し指を立てたときに目盛り間隔が正確に表示されるために、距離測定に不都合を生じることがなくなるという効果も奏される。
【考案を実施するための最良の形態】
【００１２】
図１は本考案の第１実施形態に係るゴルフグローブを手の甲側から見て示した正面図、図２は第２実施形態に係るゴルフグローブを手のひら側から見て示した正面図、図３は第３実施形態に係るゴルフグローブを手のひら側から見て示した正面図である。
【００１３】
図１〜図３において、１はプレーヤが手に着用するグローブ本体であって、手の甲と手のひらとを包み込む主部１１と、五指のそれぞれに被せられる５本の指１２，１３，１４，１５，１６とを有している。そして、５本の指１２〜１６のうち、人差し指１３には、その長手方向に沿って目盛り２が印刷で表示されている。図１〜図３では、この目盛り２の表示領域を略矩形の縦長枠で表してある。また、人差し指１３に対する目盛り２の表示位置は、図１のように人差し指１３の背部であっても、図２のように人差し指１３の脇部であっても、図３のように人差し指１３の腹部であってもよい。ここで、人差し指の背部とは、手の甲に連続する人差し指の外側部分のことであり、人差し指の腹部とは、手のひらに連続する人差し指の内側部分のことであり、人差し指の脇部とは、人差し指の背部と腹部との間の側部のことである。
【００１４】
図４には目盛り２の具体例を示してある。この例による目盛り２は、最下位の基準線２１と、この基準線２１よりも上位で互いに間隔を隔てている複数の実測線２２…でなり、それぞれの実測線２２には基準線２１からの隔たり数値（図中の１５０，１００，５０やそれらの間の数値）が付設されている。
【００１５】
図５にはグローブ本体１に表示されている上記目盛り２を使って、プレーヤの立ち位置からピン１００までの距離を測定する方法を説明的に示してある。同図において、Ｌ１はプレーヤの目Ｐからグローブ本体１の目盛り２までの距離、Ｌ２はプレーヤの立ち位置からピン１００の根元１１０までの距離を示している。また、プレーヤが手に嵌めたグローブ本体１の目盛り２を目の位置Ｐの前に距離Ｌ１だけ離してかざした状態で、そのグローブ本体１に表示されている目盛り２の傍を通過する視線でピン１００の根元１１０を見るときの視線（根元視線）を符号Ｅ１で示し、同様の状態でピン１００の頂部１２０を見たときの視線（頂部視線）を符号Ｅ２で示してある。さらに、上記目盛り２の配置位置での根元視線Ｅ１と頂部視線Ｅ２との上下方向での相互間隔寸法を符号Ｈ１で示し、ピン１００の高さを符号Ｈ２で示してある。
【００１６】
プレーヤが手に嵌めたグローブ本体１の目盛り２を目Ｐの前に距離Ｌ１だけ離してかざすときには、プレーヤ自らがゴルフグローブを嵌めた手の肘を略直角に曲げてその人差し指を立てるという動作を行うことによって可能になり、この動作はプレーヤにとってきわめて容易にしかも時間をかけずに楽に行うことのできる動作である。そして、このような動作を行うと、プレーヤが一般的な大人である場合には、プレーヤの目の位置Ｐからグローブ本体１の目盛り２までの距離Ｌ１が０．２〜０．３ｍ程度に収まり、しかも、ゴルフグローブを着用している個々のプレーヤにとってはその距離Ｌ１がほゞ一定の長さになる。また、図５によって判るように、目Ｐから目盛り２までの距離Ｌ１と根元視線Ｅ１と頂部視線Ｅ２との上下方向での相互間隔寸法Ｈ１との比は、プレーヤの立ち位置からピン１００の根元１１０までの距離Ｌ２とピン１００の高さＨ２との比に等しくなる。したがって、プレーヤの立ち位置からピン１００の根元１１０までの距離Ｌ２は下記（１）式によって求めることができる。
【００１７】
Ｌ２＝Ｌ１×（Ｈ２／Ｈ１）………（１）
【００１８】
ここで、Ｌ１は個々のプレーヤにとって略一定の値であり、Ｈ１はグローブ本体１に表示されている目盛り２から読み出すことができる値である。さらに、Ｈ２はグリーンのホールに立てられた旗竿としてのピン１００の高さであって、その高さＨ２は約２．４４ｍという一定値である。したがって、Ｈ１，Ｈ２，Ｌ１のそれぞれの値を上記（１）式に代入して演算することにより、プレーヤの立ち位置からピン１００の根元１１０までの距離Ｌ２、すなわち立ち位置からピン１００が立っているホールまでの距離を、周囲の景観やゴルフコースの起伏などに影響されずに、また、キャディに頼らずに概算で算出することが可能になる。
【００１９】
この実施形態では、上記（１）式を用いて立ち位置からピン１００の根元１１０までの距離Ｌ２を演算するという不便を解消することを目的として、目盛り２の複数の実測線２２…に、基準線２１からの隔たり数値を付設してあって、それらの数値として、上記（１）式により演算して算出したＬ２の値を表示している。したがって、プレーヤは、目盛り２の基準線２１に根元視線Ｅ１を合わせた上で、頂部視線Ｅ２に合った実測線２２の隔たり数値を見るだけで、立ち位置からピン１００の根元１１０までの距離Ｌ２、すなわち立ち位置からホールまでの距離を容易にかつ即座に知ることができる。また、プレーヤが目盛り２の基準線２１に根元視線Ｅ１を合わせなくても、根元視線Ｅ１を特定の実測線２２に合わせた上で、根元視線Ｅ１に合わせた実測線２２の表示数値から頂部視線Ｅ２に合った実測線２２の表示数値を差し引いた値を、立ち位置からピン１００の根元１１０までの距離Ｌ２として認識することも可能である。なお、立ち位置からピン１００の根元１１０までの距離が長い場合には、その距離が短い場合よりも上記Ｈ１の値が小さくなり、その逆に、立ち位置からピン１００の根元１１０までの距離が短い場合には、その距離が長い場合よりも上記Ｈ１の値が大きくなる。
【００２０】
図１〜図３に示した実施形態では、グローブ本体１に対する目盛り２の表示位置を、人差し指１３の背部、脇部又は腹部から選択しているけれども、目盛り２の表示位置はグローブ本体１のどこでもよく、たとえば主部１１の甲側、手のひら側又は脇側であってもよい。そして、グローブ本体１のどの場所に目盛り２を表示しておくかは、プレーヤの使い勝手に応じて定めておけばよい。一般的には、図３のように人差し指１３の腹部、又は図２のように人差し指１３の脇部に表示しておくと、プレーヤが手を無理に捩じったりすることなく使用することができるものと考えられる。
【００２１】
また、目盛りの実測線２２に表示する隔たり数値の単位は、ゴルフで一般的に用いられている距離の単位にしたがってヤードにしておくのが一般的であると考えられるけれども、この点は、メートル表示にすることも可能である。
【図面の簡単な説明】
【００２２】
【図１】本考案の第１実施形態に係るゴルフグローブを手の甲側から見て示した正面図である。
【図２】第２実施形態に係るゴルフグローブを手のひら側から見て示した正面図である。
【図３】第３実施形態に係るゴルフグローブを手のひら側から見て示した正面図である。
【図４】目盛りの具体例を示した説明図である。
【図５】グローブ本体に表示されている目盛りを使って距離を測定する方法を示した説明図である。
【符号の説明】
【００２３】
Ｐ  プレーヤの目の位置
Ｅ１  根元視線
Ｅ２  頂部視線
１  グローブ本体
２  目盛り
１３  グローブ本体の人指し指
２１  基準線
２２  実測線
１００  ピン
１１０  ピンの根元
１２０  ピンの頂部
【図１】
0003143811.tif 000003
【図２】
0003143811.tif 000004
【図３】
0003143811.tif 000005
【図４】
0003143811.tif 000006
【図５】
0003143811.tif 000007